(57)【特許請求の範囲】
【請求項１】
複数の符号が含まれている原稿の読み取りを行う原稿読取り部と、
前記原稿読取り部によって読み取られた原稿画像に含まれ、前記複数の符号のうち他の符号とは異なる属性を持つ形で符号化された送信先符号を検出する送信先符号検出部と、
前記送信先符号検出部によって検出された送信先符号を復号する送信先符号復号部と、
前記原稿の送信先を示す送信先情報を入力するための送信先情報入力部と、
前記送信先符号復号部によって復号された第一の送信先情報と、前記送信先情報入力部によって入力された第二の送信先情報とに基づいて、原稿画像の送信の許否を判断する送信許否判断部と
を備えたことを特徴とする画像送信装置。
【請求項２】
前記送信許否判断部は、前記第一の送信先情報と前記第二の送信先情報とが一致した場合にのみ、原稿画像の送信を許可することを特徴とする請求項１に記載の画像送信装置。
【請求項３】
前記送信先符号検出部は、符号の色に基づいて、送信先符号を検出することを特徴とする請求項１又は２に記載の画像送信装置。
【請求項４】
前記送信先符号検出部は、符号の傾きに基づいて、送信先符号を検出することを特徴とする請求項１又は２に記載の画像送信装置。
【請求項５】
前記送信先符号検出部は、符号の大きさに基づいて、送信先符号を検出することを特徴とする請求項１又は２に記載の画像送信装置。
【請求項６】
前記複数の符号のうち他の符号とは異なる属性は、変更可能であることを特徴とする請求項１〜５のいずれか一項に記載の画像送信装置。
【請求項７】
前記符号は、二次元コードであることを特徴とする請求項１〜６のいずれか一項に記載の画像送信装置。
【請求項８】
前記符号は、一次元コードであることを特徴とする請求項１〜６のいずれか一項に記載の画像送信装置。
【発明の詳細な説明】
【技術分野】
【０００１】
本発明は、ファクシミリ装置等の画像送信装置に関する。
【背景技術】
【０００２】
従来から、キー入力のミスによる誤った送信先への送信（誤送信）を防止するため、原稿中に記載された送信先情報（ファクシミリ番号）と、送信者がキー入力した送信先情報とを比較して、両者が一致することを確認してから、読み取った原稿画像を送信する画像送信装置が知られている。
【０００３】
例えば、特開平２−１２１４６９号公報には、ファクシミリ送信原稿の所定の領域に記載されたファクシミリ送信宛先番号を文字認識し、文字認識されたファクシミリ送信宛先番号と、ファクシミリ装置本体に備えられた発信機能からダイヤル入力されるファクシミリ送信宛先番号との一致が検出されたとき、上記ファクシミリ送信宛先番号へのファクシミリ送信が許可されるファクシミリ装置が開示されている。
【０００４】
また、特開平９−５５８４０号公報には、原稿上の電話番号を文字認識し、キー入力された番号と比較することにより、キー入力の誤りによる送信ミスを防止することができるファクシミリ装置であって、文字認識領域をマニュアル（ペン入力やテンキー入力）で指定できるものが開示されている。
【０００５】
一方、送信先情報を原稿中に含ませる方法として、ＱＲコード等の二次元コードを利用することが考えられる。しかしながら、原稿上に他の二次元コードが存在する場合、どれが送信先情報を符号化した二次元コードであるかを判別することが難しくなる。
【特許文献１】特開平２−１２１４６９号公報
【特許文献２】特開平９−５５８４０号公報
【発明の開示】
【発明が解決しようとする課題】
【０００６】
本発明の目的は、原稿中に複数の符号が含まれている場合であっても、送信先情報を符号化した符号（送信先符号）を検出することができる画像送信装置を提供することにある。
【課題を解決するための手段】
【０００７】
本発明に係る画像送信装置は、複数の符号が含まれている原稿の読み取りを行う原稿読取り部と、前記原稿読取り部によって読み取られた原稿画像に含まれ、前記複数の符号のうち他の符号とは異なる属性を持つ形で符号化された送信先符号を検出する送信先符号検出部と、前記送信先符号検出部によって検出された送信先符号を復号する送信先符号復号部と、前記原稿の送信先を示す送信先情報を入力するための送信先情報入力部と、前記送信先符号復号部によって復号された第一の送信先情報と、前記送信先情報入力部によって入力された第二の送信先情報とに基づいて、原稿画像の送信の許否を判断する送信許否判断部とを備えたことを特徴とする。
【０００８】
この場合において、前記送信許否判断部は、前記第一の送信先情報と前記第二の送信先情報とが一致した場合にのみ、原稿画像の送信を許可するようにしてもよい。
【０００９】
また、前記送信先符号検出部は、符号の色に基づいて、送信先符号を検出するようにしてもよし、符号の傾きに基づいて、送信先符号を検出するようにしてもよいし、符号の大きさに基づいて、送信先符号を検出するようにしてもよい。
【００１０】
また、以上の場合において、前記複数の符号のうち他の符号とは異なる属性は、変更可能であるようにしてもよい。
【００１１】
また、前記符号は、二次元コードであってもよいし、一次元コードであってもよい。
【発明の効果】
【００１２】
本発明によれば、原稿中に複数の符号が含まれている場合であっても、送信先情報を符号化した送信先符号を検出することが可能となる。
【発明を実施するための最良の形態】
【００１３】
以下、本発明の実施の形態について、図面を参照しつつ詳細に説明する。
【００１４】
図１は、本発明による画像送信装置であるファクシミリ装置の機能構成を示す図である。なお、同図では、本発明に関連する構成要素についてのみ示してある。
【００１５】
同図に示すように、本発明によるファクシミリ装置１００は、原稿読取り部１１０と、送信先符号検出部１２０と、送信先符号復号部１３０と、送信先情報入力部１４０と、送信許否判断部１５０とを備える。
【００１６】
原稿読取り部１１０は、ファクシミリ装置１００にセットされた送信原稿を光学的に読み取り、送信原稿の画像データを出力するものである。
【００１７】
送信先符号検出部１２０は、原稿読取り部１１０から出力される送信原稿の画像データを解析して、送信原稿（画像データ）に含まれる送信先符号（送信先情報であるファクシミリ番号が符号化された符号）の検出を行うものである。送信先符号検出部１２０は、送信原稿（画像データ）に含まれている符号のうち、特定の属性（例えば、色、大きさ、向き等）を有する符号を送信先符号として検出する。送信先符号の具体的な検出方法については後述する。
【００１８】
送信先符号復号部１３０は、送信先符号検出部１２０によって検出された送信先符号の復号を行うものである。すなわち、送信先符号が表す情報（符号化された送信先情報）の復元を行う。
【００１９】
送信先情報入力部１４０は、送信者が、送信先情報であるファクシミリ番号を入力するためのものである。送信先情報入力部１４０は、例えば、操作パネル（ユーザインタフェース部）に設けられたダイヤルボタンによって構成される。
【００２０】
送信許否判断部１５０は、送信先符号復号部１３０によって復号された送信先情報と、送信先情報入力部１４０によって入力された送信先情報とに基づいて、原稿画像の送信を許可するか否かを判断するものである。すなわち、送信許否判断部１５０は、送信先符号復号部１３０によって復号された送信先情報と、送信先情報入力部１４０によって入力された送信先情報とを比較し、両者が一致した場合には、原稿画像の送信を許可する。一方、両者が一致しない場合は、例えば、送信先情報が一致していない旨を通知するメッセージを操作パネルの表示部（ＬＣＤ等）に表示し、送信先情報の再入力を送信者に要求する。そして、送信者によって送信先情報が再入力されると、再入力された送信先情報と、送信先符号復号部１３０によって復号された送信先情報とを比較して、送信の許否を判断する。なお、送信先情報が再入力された場合に、送信先符号復号部１３０によって復号された送信先情報との比較は行わず、再入力された送信先情報によって指定される送信先への送信を許可するようにしてもよい。
【００２１】
また、送信先符号復号部１３０において送信先符号が正常に復号できなかった場合は、送信先情報入力部１４０によって入力された送信先情報を操作パネルの表示部等に表示して送信者の確認を求め、送信者が確認したことを検出した後に、原稿画像の送信を許可するようにしてもよいし、送信先情報の再入力を送信者に要求して、最初に入力された送信先情報と、再入力された送信先情報とが一致したときに、原稿画像の送信を許可するようにしてもよい。
【００２２】
送信許否判断部１５０によって送信が許可された原稿画像は、図示していない画像送信部によって、送信可能なデータ形式に変換され、公衆電話回線網等を介して、送信先情報によって指定された送信先に伝送される。
【００２３】
次に、送信先符号検出部１２０における送信先符号の具体的な検出方法について説明する。なお、以下では、原稿に含ませる符号として、二次元コードであるＱＲコードを利用した場合について説明する。
【００２４】
まず、符号の色に基づいて送信先符号を検出する方法について説明する。
【００２５】
図２は、符号の色に基づいて送信先符号を検出する方法を説明するための図である。
【００２６】
同図に示すように、送信原稿２００には、複数（同図の場合、３つの）ＱＲコード２０１，２０２，２０３が含まれている。このうち、送信先情報が符号化されたＱＲコード２０１は、他のＱＲコード２０２，２０３とは異なる特定の色で印字されている。例えば、送信先情報が符号化されたＱＲコード２０１は、赤色で印字され、他のＱＲコード２０２，２０３は黒色で印字される。
【００２７】
同図に示した送信原稿２００をファクシミリ装置１００にセットして、送信先情報であるファクシミリ番号を送信先情報入力部１４０によって入力した後に、スタートボタンを押すと、原稿読取り部１１０によって、送信原稿２００の読み取りが行われる。送信先符号検出部１２０は、原稿読取り部１１０によって読み取られた送信原稿２００の画像データを解析して、予め定めた特定色（例えば、赤色）で印字されたＱＲコード２０１を検出する。送信先符号検出部１２０によって検出されたＱＲコード２０１は、送信先符号復号部１３０によって復号される。
【００２８】
このように、予め定めた特定色で印字された符号を検出して復号することにより、原稿中に複数の符号が含まれている場合であっても、送信許否判断に必要な送信先符号を検出して復号することが可能となる。
【００２９】
次に、符号の向き（傾き）に基づいて送信先符号を検出する方法について説明する。
【００３０】
図３は、符号の向きに基づいて送信先符号を検出する方法を説明するための図である。
【００３１】
同図に示すように、送信原稿３００には、複数（同図の場合、３つの）ＱＲコード３０１，３０２，３０３が含まれている。このうち、送信先情報が符号化されたＱＲコード３０１は、他のＱＲコード３０２，３０３とは異なる特定の傾き（角度）で印字されている。例えば、送信先情報が符号化されたＱＲコード２０１は、９０°傾けて（時計回りに回転されて）印字され、他のＱＲコード２０２，２０３は、通常通り傾けないで（０°で）印字される。
【００３２】
同図に示した送信原稿３００が、原稿読取り部１１０によって読み取られると、送信先符号検出部１２０は、原稿読取り部１１０によって読み取られた送信原稿３００の画像データを解析して、予め定めた特定角度で印字されたＱＲコード３０１を検出する。送信先符号検出部１２０によって検出されたＱＲコード３０１は、送信先符号復号部１３０によって復号される。
【００３３】
このように、特定角度で印字された符号を検出して復号することにより、原稿中に複数の符号が含まれている場合であっても、送信許否判断に必要な送信先符号を検出して復号することが可能となる。
【００３４】
次に、符号の大きさに基づいて送信先符号を検出する方法について説明する。
【００３５】
図４は、符号の大きさに基づいて送信先符号を検出する方法を説明するための図である。
【００３６】
同図に示すように、送信原稿４００には、複数（同図の場合、３つの）ＱＲコード４０１，４０２，４０３が含まれている。このうち、送信先情報が符号化されたＱＲコード４０１は、他のＱＲコード４０２，４０３とは異なる特定のサイズで印字されている。例えば、送信先情報が符号化されたＱＲコード４０１は、１０ｍｍ角で印字され、他のＱＲコード４０２，４０３はそれより大きなサイズで印字される。
【００３７】
同図に示した送信原稿４００が、原稿読取り部１１０によって読み取られると、送信先符号検出部１２０は、原稿読取り部１１０によって読み取られた送信原稿４００の画像データを解析して、予め定めた特定サイズで印字されたＱＲコード４０１を検出する。送信先符号検出部１２０によって検出されたＱＲコード４０１は、送信先符号復号部１３０によって復号される。
【００３８】
このように、特定サイズで印字された符号を検出して復号することにより、原稿中に複数の符号が含まれている場合であっても、送信許否判断に必要な送信先符号を検出して復号することが可能となる。
【００３９】
なお、送信先符号検出部１２０が検出対象とする符号の属性（色、向き、大きさ等）については、送信者が適宜設定（変更）できるようにしてもよい。この場合、例えば、送信者は操作パネルによって検出対象となる符号の属性を指定する。
【００４０】
以上、本発明の実施形態について説明したが、当然のことながら、本発明の実施形態は上記のものに限られない。例えば、上述した実施形態では、符号としてＱＲコードを利用していたが、これに限られず、他の符号（各種二次元コードや一次元コード）を適宜利用することができる。
【図面の簡単な説明】
【００４１】
【図１】本発明による画像送信装置であるファクシミリ装置の機能構成を示す図である。
【図２】符号の色に基づいて送信先符号を検出する方法を説明するための図である。
【図３】符号の向きに基づいて送信先符号を検出する方法を説明するための図である。
【図４】符号の大きさに基づいて送信先符号を検出する方法を説明するための図である。
【符号の説明】
【００４２】
１００    ファクシミリ装置
１１０    原稿読取り部
１２０    送信先符号検出部
１３０    送信先符号復号部
１４０    送信先情報入力部
１５０    送信許否判断部
２００    送信原稿
２０１，２０２，２０３    ＱＲコード
３００    送信原稿
３０１，３０２，３０３    ＱＲコード
４００    送信原稿
４０１，４０２，４０３    ＱＲコード
【図１】
0004587043.tif 000002
【図２】
0004587043.tif 000003
【図３】
0004587043.tif 000004
【図４】
0004587043.tif 000005